(57)【要約】      （修正有）【課題】小口径の口栓にも用いることができ、不正開封防止機能を有し、初回開封時にごみが出ないヒンジ付き口栓を提供する。【解決手段】口栓本体１とキャップ２がヒンジ３により接続しているヒンジ付き口栓であって、キャップ周壁のヒンジと対向する位置に、切断可能なブリッジを５介して係止片６が設けられ、係止片６には戻り防止爪７が設けられていて、口栓本体周壁８には、上方が開放された間隙からなる係止部９が設けられ、係止部には正面窓１０が、係止片６を係止部９に挿入したときに戻り防止爪が７正面窓１０の上縁に係止するように設けられ、且つ、係止部９の下方には、ブリッジ５が切断された係止片６を、収納するようにポケット部１１が連続して設けられている。【選択図】図１
2013237463.tif 000002
【特許請求の範囲】
【請求項１】
口栓本体とキャップがヒンジにより接続しているヒンジ付き口栓であって、
キャップ周壁の前記ヒンジと対向する位置に、切断可能なブリッジを介して係止片が設けられ、該係止片には戻り防止爪が設けられていて、口栓本体周壁には、上方が開放された間隙からなる係止部が設けられ、該係止部には正面窓が、前記係止片を前記係止部に挿入したときに前記戻り防止爪が前記正面窓の上縁に係止するように設けられ、且つ、前記係止部の下方には、前記ブリッジが切断された前記係止片を、収納するようにポケット部が連続して設けられていることを特徴とするヒンジ付き口栓。
【請求項２】
前記ブリッジが切断され、前記係止片が前記ポケット部に収納されたときに、開封されたことを示す開封表示が見えるように設けられていることを特徴とする請求項１に記載のヒンジ付き口栓。
【請求項３】
前記口栓本体には、内容物を注出する注ぎ孔と該注ぎ孔より前記ヒンジ寄りに空気を通気させる空気孔が設けられ、前記キャップには、注ぎ孔密封軸と空気孔密封軸が設けられ、前記キャップを前記口栓本体に嵌めたときに、前記注ぎ孔密封軸が前記注ぎ孔を、前記空気孔密封軸が前記空気孔をそれぞれ密封するようになっていることを特徴とする請求項１または２に記載のヒンジ付き口栓。
【発明の詳細な説明】
【技術分野】
【０００１】
本発明は、ヒンジ付き口栓に関するものである。
【背景技術】
【０００２】
醤油やソース、ポン酢、ドレッシングなどの液体調味料や、食用油などを収納する容器に取り付けられ使用される口栓がある。口栓には、口栓本体に設けられた雄螺子とキャップの内周面に設けられた雌螺子を螺合して、密封するものもあるが、ワンタッチで開け閉めできるように、口栓本体とキャップがヒンジにより接続していて、嵌合して密封するヒンジ付き口栓がある。
【０００３】
このようなヒンジ付き口栓においても、不正開封防止の要求があり、これに対応した口栓も開発されるようになった。
【０００４】
例えば、口栓本体の外周に、口栓本体と間隙を存して対向しかつ両端において口栓本体と連結する帯片を一体に形成するとともに、キヤツプにはこのキヤツプを口栓本体に被冠させたときに帯片と口栓本体との間に挿入される掛止爪を一体に形成し、かつ、帯片に挿入された掛止爪を掛止してこの掛止爪の上方への抜出しを阻止する掛止部と前記掛止爪の外周を覆うカバー部とを形成するとともに、この帯片の少なくとも一端側の口栓本体連結部の肉厚を、掛止部の挿入時には破断せず帯片を上方に押上げたときに破断する厚さとしたヒンジ付き口栓（容器の口栓）がある（特許文献１）。
【０００５】
また、ヒンジの反対側のキャップに押圧片を有し、押圧片の先端部上面に係止突起を設けるとともに、栓本体に肉薄部を介して係合片を設け、係合片の先端部に係止突起の内面と係合する係合凸起を設けてあって、肉薄部を破断して、係合片を取り去って初回の開封を行うようにしたヒンジ付き蓋（不正開封防止キャップ）もある（特許文献２）。
【０００６】
公知文献を以下に示す。
【先行技術文献】
【特許文献】
【０００７】
【特許文献１】実開昭６３−１６６９５４号公報
【特許文献２】実開平４−３５５５３号公報
【発明の概要】
【発明が解決しようとする課題】
【０００８】
上記、特許文献に記載のヒンジ付き口栓やヒンジ付き蓋は、初回開封するときに、肉薄部などを破断するがこのとき、破断して取り去る部分が出て、余計なごみが出たり、また、破断してその部分を取り去るので、初回開封前の状態がわからないと、取り去っていることがわからないことがある。
【０００９】
また、口栓本体の口径の大きさより、注ぎ口の大きさを絞り込んだ、小口径の口栓については、不正開封防止機能を有するものは見られなかった。
【００１０】
本発明は上記した事情に鑑みてなされたもので、小口径の口栓にも用いることができ、不正開封防止機能を有し、初回開封時にごみが出ないヒンジ付き口栓を提供することを課題としている。
【課題を解決するための手段】
【００１１】
本発明の請求項１に係る発明は、口栓本体とキャップがヒンジにより接続しているヒンジ付き口栓であって、
キャップ周壁の前記ヒンジと対向する位置に、切断可能なブリッジを介して係止片が設けられ、該係止片には戻り防止爪が設けられていて、口栓本体周壁には、上方が開放された間隙からなる係止部が設けられ、該係止部には正面窓が、前記係止片を前記係止部に挿入したときに前記戻り防止爪が前記正面窓の上縁に係止するように設けられ、且つ、前記係止部の下方には、前記ブリッジが切断された前記係止片を、収納するようにポケット部が連続して設けられていることを特徴とするヒンジ付き口栓である。
【００１２】
本発明のヒンジ付き口栓は、以上のような構成であって、初回開封時にキャップを持ち上げて開封すると、ブリッジが切断され、戻り防止爪が正面窓の上縁に係止していた係止片が、キャップより離れてポケット部に落ち込む。
【００１３】
これにより、開封したことがわかり、不正開封防止機能を有し、係止片がごみとして出ることがない。また、口栓本体の口径の大きさより、注ぎ口の大きさを絞り込んだ、小口径の口栓にも、用いることができる。
【００１４】
本発明の請求項２に係る発明は、前記ブリッジが切断され、前記係止片が前記ポケット部に収納されたときに、開封されたことを示す開封表示が見えるように設けられていることを特徴とする請求項１に記載のヒンジ付き口栓である。
【００１５】
本発明は、初回開封した時に、開封されたことを示す開封表示が見えるので、開封されたことがあることが、はっきりとわかる。
【００１６】
本発明の請求項３に係る発明は、前記口栓本体には、内容物を注出する注ぎ孔と該注ぎ孔より前記ヒンジ寄りに空気を通気させる空気孔が設けられ、前記キャップには、注ぎ孔密封軸と空気孔密封軸が設けられ、前記キャップを前記口栓本体に嵌めたときに、前記注ぎ孔密封軸が前記注ぎ孔を、前記空気孔密封軸が前記空気孔をそれぞれ密封するようになっていることを特徴とする請求項１または２に記載のヒンジ付き口栓である。
【００１７】
本発明は、内容物を注出する注ぎ孔と、ヒンジ寄りに空気を通気させる空気孔が設けられているので、ヒンジが上になるように傾けて内容物を注ぎ出すときに、空気孔が内容物で塞がれることがなく、また、空気孔があるので、内容物が脈動するなどして突然飛び出す形で注がれることもない。
【００１８】
また、キャップを口栓本体に嵌めたときに、注ぎ孔密封軸と空気孔密封軸が、注ぎ孔と空気孔をそれぞれ塞ぐので、キャップを閉めた状態のときに、内容物が口栓のなかに出てくることがなく、更には口栓の外に出てしまい、周囲を汚してしまうこともない。
【発明の効果】
【００１９】
本発明のヒンジ付き口栓は、不正開封防止機能を有し、初回開封時にごみが出ることがなく、また、この不正開封防止機能は小口径の口栓にも用いることができる。更には、空気孔を設けることができ、内容物が脈動して注ぎ出てくることもない。
【図面の簡単な説明】
【００２０】
【図１】本発明のヒンジ付き口栓の一例を模式的に断面で示した説明図である。
【図２】本発明のヒンジ付き口栓の一例を模式的に正面で示した説明図である。
【図３】本発明のヒンジ付き口栓の一例を開封した状態を断面で示した説明図である。
【図４】本発明のヒンジ付き口栓の一例を開封した後、再封した状態を断面で示した説明図である。
【図５】本発明のヒンジ付き口栓の一例を開封した後、再封した状態を正面で示した説明図である。
【図６】本発明のヒンジ付き口栓の一例の使用状態を断面で示した説明図である。
【発明を実施するための形態】
【００２１】
以下本発明を実施するための形態につき説明する。
図１は、本発明のヒンジ付き口栓の一例を模式的に断面で示した説明図、図２は、本発明のヒンジ付き口栓の一例を模式的に正面で示した説明図、図３は、本発明のヒンジ付き口栓の一例を開封した状態を断面で示した説明図である。
【００２２】
本例のヒンジ付き口栓１００は、図１、図２のように、口栓本体１とキャップ２がヒンジ３により接続していて、ヒンジ３を軸にしてキャップ２が口栓本体１から開けるようになっている。
【００２３】
キャップ周壁４のヒンジ３と対向する位置に、切断可能なブリッジ５を介して係止片６が設けられている。そして、係止片６の下端には外向きに上に向かう戻り防止爪７が設けられている。また、ブリッジ５より上のキャップ周壁４には、窪み部が設けられていて、キャップ２を開けるとき、指がかかりやすく開けやすいようになっている。
【００２４】
そして、キャップをした時に、キャップ周壁４の下端が口栓本体周壁８の上端の外側に嵌合するようになっている。ヒンジ３と対向する位置で、止めリブなどによって、キャップ周壁４の下端部が内方に出っ張って、口栓本体周壁８の上端部が外側に出っ張っていて、キャップを閉めた時に安定して閉まり、閉めるときにカチッと閉まった感触が得られるようになっている。
【００２５】
口栓本体周壁８には、ヒンジ３と対向する位置に、上方が開放された間隙からなる係止部９が設けられている。係止部９には正面窓１０が設けられていて、係止片６を前記係止部９に挿入したときに戻り防止爪７が正面窓１０の上縁に係止するようになっている。
【００２６】
そのため、係止部９の幅は、係止片６が上下に移動可能なように、係止片６の幅より広くなっている。また、正面窓１０の幅は、係止片６が正面窓１０から外れないように、係止片６の幅より狭くなっている。
【００２７】
また、戻り防止爪７の幅は、正面窓１０の上縁に係止するため、正面窓１０の上縁の幅より狭くなっている。したがって、係止片６の下端の戻り防止爪７の幅は、それより上の係止片６の幅より狭く形成されている。
【００２８】
そして、係止部９の下方には、ブリッジ５が切断されて係止片６がキャップ２から切り離されたときに、係止片６を収納するようにポケット部１１が係止部９に連続して設けられている。
【００２９】
このようになっているので、初回開封時にキャップ２を持ち上げて、図３のように、開封すると、ブリッジ５が切断され、戻り防止爪７で正面窓１０の上縁に係止していた係止片６が、キャップ２より離れてポケット部１１に落ち込む。
【００３０】
これにより、正面窓１０に係止片６がその上端部まで出てくるので、開封したことがわかる。また、係止片６がポケット部１１に収納されるので、係止片６がごみとして出ることがない。また、正面窓１０の下端がポケット部１１の下端まで達するように設けることで、ポケット部１１に異物や水分が溜まらないようになっている。
【００３１】
また、口栓本体１には、口栓本体の口径の大きさより小さな小口径の内容物を注出する注ぎ孔１２が設けられ、更に注ぎ孔１２よりヒンジ３寄りに空気を通気させる空気孔１３が設けられている。
【００３２】
そして、キャップ２には、注ぎ孔密封軸１４と空気孔密封軸１５が設けられ、キャップ２を口栓本体１に嵌めたときに、注ぎ孔密封軸１４が注ぎ孔１２を、空気孔密封軸１５が空気孔１３をそれぞれ密封するようになっている。
【００３３】
注ぎ孔密封軸１４の周囲は上方に突き出ていて、内容物の流路となるようにしてある。また、流路は上が広がる逆円錐台形になっていて、キャップ２を嵌めたり外したりするときに、注ぎ孔密封軸１４が引っ掛からないようになっている。
【００３４】
また、空気孔１３の周囲は上方に突き出ていないが、孔自体が上に広がる逆円錐台形になっていて、同様に、空気孔密封軸１５が引っ掛からないようになっている。
【００３５】
上記のように、内容物を注出する注ぎ孔１２よりヒンジ３寄りに空気を通気させる空気孔１３が設けられているので、ヒンジ３が上になるように傾けて内容物を注ぎ出すときに、空気孔１３が内容物で塞がれることがなく、また、空気孔１３があるので、内容物が脈動するなどして突然飛び出す形で注がれることもない。そのため、注ぐのに時間がかかることもなく、また、小容量の内容物を注ぎ出すときも正確に行うことができる。
【００３６】
また、キャップ２を口栓本体１に嵌めたときに、注ぎ孔密封軸１４と空気孔密封軸１５が、注ぎ孔１２と空気孔１３をそれぞれ塞ぐので、キャップ２を閉めた状態のときに、内容物が口栓１０のなかに出てくることがなく、更には口栓１０の外に出てしまい、周囲を汚してしまうこともない。
【００３７】
図４は、本発明のヒンジ付き口栓の一例を開封した後、再封した状態を断面で示した説明図、図５は、本発明のヒンジ付き口栓の一例を開封した後、再封した状態を正面で示した説明図である。
【００３８】
本例のヒンジ付き口栓１００を開封した後、再封すると、ブリッジが切断されているので、係止片はポケット部に落ちて収納される。このように収納されたときには、係止片に設けられた開封されたことを示す開封表示１６が、図５のように、見えるようになる。
【００３９】
このようにすることによって、初回開封した時に、開封されたことを示す開封表示が見えるので、開封されたことがあることが、明確にわかる。
【００４０】
本例のヒンジ付き口栓１００は、容器に取り付けられ使用されるものであるが、容器としては、液体紙容器に好ましく用いられる。特に液体用紙容器のゲーベルトップ型や片屋根型などの天面板が傾斜した部分に取り付けて使用される用途に向いている。
【００４１】
図６は、ゲーベルトップ型液体用紙容器に本例のヒンジ付き口栓１００が取り付けられている状態を断面で示した説明図である。
【００４２】
液体用紙容器に取り付けるには、図６のように、液体用紙容器の天面板１７に開けられた貫通孔に内側から差し込み、ヒンジ付き口栓１００のヒンジ３が傾斜の上になるようにして、口栓本体１の下端に設けられた台座部１８を液体用紙容器にヒートシールして接着させる。
【００４３】
このように、天面板が１７傾斜した液体用紙容器に取り付けると、すでに傾いて取り付けられているので、注ぎ孔１２より、空気孔１３が高い位置になり、液体用紙容器を傾けて、内容物を注ぎ出すときに空気孔１３が有効に作用する。
【００４４】
本例のヒンジ付き口栓１００は、口栓本体１とキャップ２が開いた状態の形状を、熱可塑性樹脂を用いて、インジェクション成形法により作成することができる。特に液体用紙容器に用いる場合は、液体用紙容器にヒートシールして接着させるため、液体用紙容器の内面樹脂に熱融着可能な低密度ポリエチレン、高密度ポリエチレン、線状低密度ポリエチレン又はポリエステル樹脂などの熱可塑性樹脂を用いて作成することが好ましい。
【００４５】
以上のように、本発明のヒンジ付き口栓は、初回開封時にキャップを持ち上げて開封すると、係止片がキャップより離れて口栓本体のポケット部に落ち込み、開封されたことがわかる。更に、開封されたことを示す開封表示が見えるので、開封されたことが明確にわかる。
【００４６】
また、初回開封時にごみが出ることがない。更には、口栓本体の口径の大きさより、注ぎ口の大きさを絞り込んで設け、且つ、空気孔が設けてあるので、内容物が脈動するなどして突然飛び出す形で注がれることがない。そして、空気孔が内容物で塞がれることもない。
【符号の説明】
【００４７】
１００・・・ヒンジ付き口栓
１・・・口栓本体
２・・・キャップ
３・・・ヒンジ
４・・・キャップ周壁
５・・・ブリッジ
６・・・係止片
７・・・戻り防止爪
８・・・口栓本体周壁
９・・・係止部
１０・・・正面窓
１１・・・ポケット部
１２・・・注ぎ孔
１３・・・空気孔
１４・・・注ぎ孔密封軸
１５・・・空気孔密封軸
１６・・・開封表示
１７・・・天面板
１８・・・台座部
【図１】
2013237463.tif 000003
【図２】
2013237463.tif 000004
【図３】
2013237463.tif 000005
【図４】
2013237463.tif 000006
【図５】
2013237463.tif 000007
【図６】
2013237463.tif 000008